(57)【特許請求の範囲】
【請求項１】
導電性の少なくとも１つの信号端子と、
前記少なくとも１つの信号端子を保持し、外殻と内殻が一体化した構造を持つ絶縁性のハウジングと、
前記ハウジングの前記内殻のみを覆う導電性のシェルと、
前記少なくとも１つの信号端子を介して上下方向に離間して互いに対向するように前記ハウジングの前記内殻に保持される導電性の上段グランド端子と下段グランド端子を有し、
前記上段グランド端子は前記シェルの接触面に接触する接触部を有する、コネクタ。
【請求項２】
前記上段グランド端子は、前記接触部に圧力を加えて前記シェルの前記接触面に接触させる端子側弾性部を備えている、請求項１に記載のコネクタ。
【請求項３】
前記ハウジングの前記外殻は、前記シェルにおける、前記接触部が接触する前記接触面と反対側の面に接するように設けられたバックアップ部を有する、請求項２に記載のコネクタ。
【請求項４】
前記シェルは、前記接触部が接触する前記接触面に設けられて前記接触部が圧力を加える向きに弾性変形するシェル側弾性部を有する、請求項１または２に記載のコネクタ。
【請求項５】
前記コネクタは基板に搭載されるコネクタであり、前記下段グランド端子は、前記基板のグランド端子に接続される、請求項１〜４のいずれか一項に記載のコネクタ。
【請求項６】
前記上段グランド端子は、前記コネクタと嵌合する相手側コネクタのグランド端子に接続される、請求項１〜５のいずれか一項に記載のコネクタ。
【請求項７】
前記下段グランド端子は、前記コネクタと嵌合する相手側コネクタのグランド端子に接続される、請求項１〜６のいずれか一項に記載のコネクタ。
【請求項８】
前記シェルにおける前記接触部が接触する前記接触面は、前記シェルが前記ハウジングに搭載される向きに平行な面であり、
前記シェルは、前記接触面よりも前記シェルが前記ハウジングに搭載される向きにおける前方に設けられた非接触面を有し、
前記非接触面は前記接触面よりも、前記接触部が前記接触面に接触する向きに突出している、請求項２〜７のいずれか一項に記載のコネクタ。
【請求項９】
前記シェルは、前記シェルの外側に配置されるユニット筐体のグランド端子に接続されるグランド接続部を有する、請求項１〜８のいずれか一項に記載のコネクタ。
【請求項１０】
前記シェルは嵌合対象である相手側コネクタと前記コネクタが嵌合する向きと交差する面のうち、正面が開放面として開放された箱型の形状を有し、
前記接触部は前記シェルの面のうち、前記開放面と対向する背面に接触している、請求項１〜９のいずれか一項に記載のコネクタ。
【発明の詳細な説明】
【技術分野】
【０００１】
本発明はコネクタに関する。
【背景技術】
【０００２】
従来のシールドコネクタには、ハウジングとシェルを２重にして耐ノイズ性を高めた構造がある（特許文献１）。
【０００３】
このような構造について、図２１を参照して説明する。図２１に示すように、特許文献１のコネクタ３０１は、導電性のコンタクト３１１と、コンタクト３１１を保持している絶縁性の内部ハウジング３２１と、内部ハウジング３２１を覆う導電性の第１シェル３３１と、第１シェル３３１を覆う絶縁性の外部ハウジング３４１と、外部ハウジング３４１を覆う導電性の第２シェル３５１を有している。
【先行技術文献】
【特許文献】
【０００４】
【特許文献１】特開２００６−３１０１６４号公報
【発明の概要】
【発明が解決しようとする課題】
【０００５】
しかしながら、このような構造ではハウジングおよびシェルがそれぞれ２つ必要となり、これらの部材を保持する構造等も別途必要となる。そのため、コネクタの小型化が困難であるという問題があった。
【０００６】
本発明は、上記した問題点の改善のためになされたものであり、その目的は、従来よりも小型化が容易なコネクタを提供することにある。
【課題を解決するための手段】
【０００７】
上記課題を解決するため、本発明の１態様は、導電性の少なくとも１つの信号端子と、前記少なくとも１つの信号端子を保持し、外殻と内殻が一体化した構造を持つ絶縁性のハウジングと、前記ハウジングの前記内殻のみを覆う導電性のシェルと、前記少なくとも１つの信号端子を介して上下方向に離間して互いに対向するように前記ハウジングの前記内殻に保持される導電性の上段グランド端子と下段グランド端子を有し、前記上段グランド端子は前記シェルの接触面に接触する接触部を有する、コネクタである。
【０００８】
前記上段グランド端子は、前記接触部に圧力を加えて前記シェルの前記接触面に接触させる端子側弾性部を備えていてもよい。
【０００９】
前記ハウジングの前記外殻は、前記シェルにおける、前記接触部が接触する前記接触面と反対側の面に接するように設けられたバックアップ部を有してもよい。
【００１０】
あるいは、前記シェルは、前記接触部が接触する前記接触面に設けられて前記接触部が圧力を加える向きに弾性変形するシェル側弾性部を有してもよい。
【００１１】
前記コネクタは例えば基板に搭載されるコネクタであり、この場合、前記下段グランド端子は、例えば前記基板のグランド端子に接続される。
【００１２】
前記上段グランド端子は、例えば前記コネクタと嵌合する相手側コネクタのグランド端子に接続される。
【００１３】
前記下段グランド端子は、例えば前記コネクタと嵌合する相手側コネクタのグランド端子に接続される。
【００１４】
前記シェルにおける前記接触部が接触する前記接触面は、前記シェルが前記ハウジングに搭載される向きに平行な面であってもよく、この場合前記シェルは、前記接触面よりも前記シェルが前記ハウジングに搭載される向きにおける前方に設けられた非接触面を有し、前記非接触面は前記接触面よりも、前記接触部が前記接触面に接触する向きに突出している。
【００１５】
また、前記シェルは、前記シェルの外側に配置されるユニット筐体のグランド端子に接続されるグランド接続部を有してもよい。
【００１６】
さらに、前記シェルは嵌合対象である相手側コネクタと前記コネクタが嵌合する向きと交差する面のうち、正面が開放面として開放された箱型の形状を有してもよく、この場合前記接触部は前記シェルの面のうち、前記開放面と対向する背面に接触している。
【発明の効果】
【００１７】
本発明によれば、従来よりも小型化が容易なコネクタを提供することができる。
【図面の簡単な説明】
【００１８】
【図１】第１の実施形態に係るコネクタ１を示す斜視図である。
【図２】図１の分解斜視図である。
【図３】図２をハウジング５の背面側から見た分解斜視図であって、シェル７は記載を省略している。
【図４】図１の上面図である。
【図５】図１の下面図である。
【図６】図１の右側面図（Ｃ方向矢視図）である。
【図７】図１の正面図（Ａ方向矢視図）である。
【図８】図７のＧ−Ｇ断面図である。
【図９】図１をシェル７の背面側から見た斜視図である。
【図１０】図７において、ハウジング５の記載を省略した図である。
【図１１】図８において、ハウジング５の記載を省略した図である。
【図１２】シェル７の変形例を示す図である。
【図１３】コネクタ１を基板８１、ユニット筐体８９、および相手側コネクタ９５と接続した状態を示す図である。
【図１４】第２の実施形態に係るコネクタ１Ａを示す斜視図である。
【図１５】図１４の分解斜視図である。
【図１６】図１４の右側面図（Ｃ方向矢視図）である。
【図１７】図１４の正面図（Ａ方向矢視図）である。
【図１８】図１７のＨ−Ｈ断面図である。
【図１９】図１７において、ハウジング５の記載を省略した図である。
【図２０】図１８において、ハウジング５の記載を省略した図である。
【図２１】従来のコネクタ３０１を示す分解斜視図である。
【発明を実施するための形態】
【００１９】
以下、図面に基づき、本発明に好適な実施形態を詳細に説明する。
【００２０】
まず、図１および図２を参照して、第１の実施形態に係るコネクタ１の構造について説明する。ここではコネクタ１として、嵌合対象である相手側コネクタ９５とコネクタ１が嵌合する向きが、コネクタ１が基板８１に搭載される向きに垂直なアングルコネクタが例示されている。なお相手側コネクタ９５と基板８１の詳細は後述する。
【００２１】
また、図１ではコネクタ１は直方体（６面体）に近似した形状を有しているが、以下の説明では、図１中のＡの向きを相手側コネクタ９５とコネクタ１が嵌合する向きとし、この向きから見えるコネクタ１の面をコネクタ１の正面とする。同様に、正面と対向する面（Ｂの向きから見た面）を背面、Ｅの向きから見た面を上面、Ｆの向きから見た面を下面、Ｃの向きからみた面を右側面、Ｄの向きから見た面を左側面とする。
【００２２】
図１および図２に示すように、コネクタ１は、導電性の第１の端子としての信号端子３Ａ、３Ｂと、信号端子３Ａ、３Ｂを保持する絶縁性のハウジング５と、ハウジング５を覆う導電性のシェル７と、信号端子３Ａ、３Ｂを介して互いに対向するようにハウジング５に保持される導電性の第２の端子としての上段グランド端子９と導電性の第３の端子としての下段グランド端子１１を有している。さらに、上段グランド端子９はシェル７の背面側に接触する接触部１３を有している。
【００２３】
次に図１〜図１２を参照して、コネクタ１を構成する各部材の構造について、より詳細に説明する。
【００２４】
まず、信号端子３Ａ、３Ｂの構造について、図２、３、７、８、１０、１１を参照して説明する。
【００２５】
信号端子３Ａ、３Ｂは相手側コネクタ９５や基板８１等を介した信号の導通に用いられる端子であり、例えば基板８１の接点部８７（詳細は後述）に接続される。
【００２６】
図２、３、７、８、１０、１１、特に図２に示すように、信号端子３Ａ、３Ｂは相手側コネクタ９５とコネクタ１が嵌合する向きに延び、かつコネクタ１の上面に平行な板状の形状を有する。より具体的には、信号端子３Ａ、３Ｂは相手側コネクタ９５の信号端子に接続される板状の信号端子相手側接続部１５Ａ、１５Ｂと、信号端子相手側接続部１５Ａ、１５Ｂの後方（コネクタ１の背面側）から下側に折れ曲がった形状を有し、基板８１に接続される基板接続部１７Ａ、１７Ｂを有している。基板接続部１７Ａ、１７Ｂの開放端は、さらに信号端子相手側接続部１５Ａ、１５Ｂと平行になるように折れ曲がった形状を有し、基板８１の接点部８７に半田等で接続される信号端子接点部１９Ａ、１９Ｂを有している。
【００２７】
さらに、信号端子相手側接続部１５Ａ、１５Ｂの左右両側面には、ハウジング５に信号端子３Ａ、３Ｂを保持させるための信号端子突出部２１Ａ、２１Ｂが設けられている。 
以上が信号端子３Ａ、３Ｂの構造の説明である。
【００２８】
次に、ハウジング５の構造について、図３〜図９、特に図３を参照して説明する。
【００２９】
ハウジング５は信号端子３Ａ、３Ｂ、シェル７、上段グランド端子９、および下段グランド端子１１を保持するために絶縁性の樹脂等で作られる。
【００３０】
図３に示すように、ハウジング５は、相手側コネクタ９５とコネクタ１が嵌合する向きに延びた直方体に近似した形状を有する外殻２３を有している。外殻２３はその正面が、相手側コネクタ９５が挿入される開放面２５として開放され（図８参照）、さらに上面、左右両側面、および背面の一部も開放されている。
【００３１】
また、ハウジング５は、外殻２３内に位置する直方体形状の内殻２７をさらに有している。内殻２７は正面が外殻２３と一体化しており、かつ外殻２３よりも直方体を構成する各辺の寸法が小さい。そのため、内殻２７と外殻２３の間には隙間２９が生じている。隙間２９はシェル７の厚さに対応した寸法であり、この隙間２９にシェル７を挿入することにより、シェル７がハウジング５に保持される。
【００３２】
また、開放面２５から背面側に向けて形成された空間であり、相手側コネクタ９５を受け入れる受容部２６をハウジング５は内部に有している。
【００３３】
さらに、ハウジング５は、正面から背面へ貫通するように設けられ、信号端子３Ａ、３Ｂが挿入される信号端子挿入孔３１Ａ、３１Ｂを有している。
【００３４】
また、ハウジング５は、正面から背面へ貫通するように設けられ、上段グランド端子９が挿入される上段グランド端子挿入孔３３、および下段グランド端子１１が挿入される下段グランド端子挿入孔３５を有している。
【００３５】
なお、外殻２３の背面をここではバックアップ部３７と称す。
【００３６】
このように、ハウジング５は外殻２３と内殻２７が一体化した構造であるため、ハウジングを２重にする場合と比べてコネクタ１は小型化が容易である。 
以上がハウジング５の構造の説明である。
【００３７】
次にシェル７の構造について、図２、図６、図８、図１０〜図１２、特に図２および図８を参照して説明する。
【００３８】
シェル７はコネクタ１の信号端子３Ａ、３Ｂを外部からの電気的ノイズから遮蔽するとともに、上段グランド端子９のグランド接続を確立するための部材である。
【００３９】
より詳細には、図２に示すように、シェル７は正面および下面が開放された箱型の形状を有している。
【００４０】
また、シェル７の左右側面の下端部の一部は基板等のグランドに接続される板状のシェル側グランド端子３９（ここでは両側にそれぞれ複数個）を構成している。
【００４１】
さらに、シェル７の左右側面の一部は切込みを入れて内側に折り曲げられ、相手側コネクタ９５のシェル等と接触する片持ち梁状の内側接触部４１を有している。
【００４２】
また、シェル７の上面の一部は切込みを入れて外側に折り曲げられ、コネクタ１を収容するユニット筐体のグランド端子と接続されるシェル側グランド接続部４３となっている。なお、ユニット筐体８９の構造については後述する。
【００４３】
さらに、シェル７の背面は、図８に示すように、上段グランド端子９の接触部１３と接触する接触面４５と、接触面４５よりもシェル７がハウジング５に搭載される向き（図８のＥの向き）における前方に設けられた非接触面４７を有する。
【００４４】
また、非接触面４７は、接触面４５よりも距離Ｌだけ接触部１３が接触面４５と接触する向き（図８のＡの向き）に突出している。また、接触面４５と非接触面４７の間には、接触面４５の前端から非接触面４７の後端に向けて傾斜した傾斜面４９が設けられている。
【００４５】
接触面４５、非接触面４７、および傾斜面４９をこのような形状とする理由について、簡単に説明する。詳細は後述するが、上段グランド端子９の接触部１３はシェル７と弾性接触するため、シェル７と接触する際には初期状態（図８からシェル７を取り外した状態、即ちシェル７と接触部１３が接触していない状態）からＢの向きに変位する。そのため、図８の状態からシェル７を取り外すと、接触部１３の位置が変位する前の初期状態の位置に戻る。具体的には図８に示された位置よりも図８のＡの向きに戻る。
【００４６】
この状態（初期状態）で、非接触面４７が接触面４５よりもＡの向きに突出していない場合、即ち距離Ｌが０の場合、シェル７をＥの向きに向けて降ろしてハウジング５に取り付けようとすると、シェル７の非接触面４７の前端が、まず接触部１３に接触して接触部を変形させて損傷させる恐れがある。
【００４７】
一方で、図８の構造の場合、シェル７をＥの向きに降ろしてハウジング５に取り付けようとすると、シェル７の非接触面４７の前端を接触部１３に接触させずに、傾斜面４９をガイドにして接触面４５と接触部１３を弾性接触させることができる。
【００４８】
なお、シェル７の取り付けの際に、シェル７の非接触面４７の前端を接触部１３に接触させないためには、距離Ｌは接触部１３とシェル７が接触していない初期状態から、接触部１３とシェル７が接触した状態（図８の状態）になるまでの接触部１３の図８のＢの向きへの変位量よりも大きい方が望ましい。 
以上がシェル７の構造の説明である。
【００４９】
次に、上段グランド端子９の構造について、図２、３、７、８、１０、１１を参照して説明する。
【００５０】
上段グランド端子９は相手側コネクタ９５のメスグランドと接続されることにより、グランド接続されるグランド端子としての機能を有するとともに、下段グランド端子１１と共に信号端子３Ａ、３Ｂを外部からの電気的ノイズから遮蔽する機能をも有する。
【００５１】
図２、３、７、８、１０、１１、特に図２に示すように、上段グランド端子９は相手側コネクタ９５とコネクタ１が嵌合する向きに延び、かつコネクタ１の上面に平行な板状の形状を有する。より具体的には、上段グランド端子９は相手側コネクタ９５のグランドに接続される板状の上段端子相手側接続部５１と、上段端子相手側接続部５１の後方（コネクタ１の背面側）から上側に折れ曲がった形状を有する。上側に折れ曲がった部分は弾性を有し、接触部１３に圧力を加えてシェル７に接触させる端子側弾性部５３と、端子側弾性部５３の開放端に設けられ、シェル７の接触面４５に弾性接触する接触部１３を有している。
【００５２】
さらに、上段端子相手側接続部５１の左右両側面には、ハウジング５に上段グランド端子９を保持させるための上段端子突出部５５が設けられている。
【００５３】
ここで、上段グランド端子９はシェル７に接触しており、コネクタ１を保持する基板８１やユニット筐体８９に対しては、シェル７のシェル側グランド端子３９またはシェル側グランド接続部４３を介してグランド接続される。
【００５４】
そのため、コネクタ１においては上段グランド端子９を基板８１やユニット筐体８９に直接グランド接続させるための部材を別途設ける必要はない。そのため、コネクタ１は従来よりも小型化が容易な構造である。 
以上が上段グランド端子９の構造の説明である。
【００５５】
次に、下段グランド端子１１の構造について、図２、３、７、８、１０、１１を参照して説明する。
【００５６】
下段グランド端子１１は相手側コネクタ９５のグランドと接続され、かつ基板等のグランドにも接続されることにより、グランド接続されるグランド端子としての機能を有するとともに、上段グランド端子９と共に信号端子３Ａ、３Ｂを外部からの電気的ノイズから遮蔽する機能をも有する。
【００５７】
図２、３、７、８、１０、１１、特に図２に示すように、下段グランド端子１１は相手側コネクタ９５とコネクタ１が嵌合する向きに延び、かつコネクタ１の上面に平行な板状の形状を有する。より具体的には、下段グランド端子１１は相手側コネクタ９５のグランドに弾性接触する下段側弾性部６１と、下段側弾性部６１の前方（コネクタ１の正面側）に設けられ、先端が上段グランド端子９側に突出するように折り曲げられた山形の接続用突出部６３を有する。下段グランド端子１１はさらに、下段側弾性部６１の後方（コネクタ１の背面側）から下側に折れ曲がった形状を有し、基板８１のグランド用のスルーホール等に挿入される挿入部６５を有している。
【００５８】
さらに、下段側弾性部６１の左右両側面には、ハウジング５に下段グランド端子１１を保持させるための下段端子突出部６７が設けられている。 
以上が下段グランド端子１１の構造の説明である。
【００５９】
次に、コネクタ１の組み立て方について、説明する。
【００６０】
まず、ハウジング５に上段グランド端子９、下段グランド端子１１および信号端子３Ａ、３Ｂを取り付ける。
【００６１】
具体的には、図３に示すように、上段グランド端子９の上段端子相手側接続部５１をハウジング５の背面に向けて、ハウジング５の背面側から上段グランド端子挿入孔３３に挿入し、上段端子突出部５５をハウジング５に食い込ませてハウジング５に保持させる。
【００６２】
同様に、下段グランド端子１１の下段側弾性部６１をハウジング５の背面に向けて、ハウジング５の背面側から下段グランド端子挿入孔３５に挿入し、下段端子突出部６７をハウジング５に食い込ませてハウジング５に保持させる。
【００６３】
さらに、信号端子３Ａ、３Ｂの信号端子相手側接続部１５Ａ、１５Ｂをハウジング５の背面に向けて、ハウジング５の背面側から信号端子挿入孔３１Ａ、３１Ｂに挿入し、信号端子突出部２１Ａ、２１Ｂをハウジング５に食い込ませてハウジング５に保持させる。
【００６４】
次に、ハウジング５にシェル７を搭載し、上段グランド端子９の接触部１３とシェル７の接触面４５を接触させる。
【００６５】
具体的には、シェル７をハウジング５の上方に配置し（図２参照）、図３に示す隙間２９にシェル７を挿入することにより、シェル７がハウジング５に搭載され、保持される。この際、接触部１３は上記の通り傾斜面４９をガイドにして接触面４５と弾性接触する。
このようにしてコネクタ１が完成する。
【００６６】
なお、コネクタ１は上段グランド端子９の接触部１３とシェル７が端子側弾性部５３によって弾性接触しているため、シェル７は図８のＡの向きに端子側弾性部５３から圧力を受ける。ここで、シェル７は例えば金属板を折り曲げて箱型に形成したものであるため、図９に示すように背面５２は上面５４とのみ直接接続されている。そのため、背面５２が端子側弾性部５３から圧力を受けると、背面５２は上面５４との接続部５６を支点に図８および図９のＩの向きに回転してシェル７が開いてしまう恐れがある。
【００６７】
しかしながら、図８および図９に示すように、ハウジング５の背面にはシェル７の接触面４５と反対側の面５０に接触するようにバックアップ部３７が設けられているので、シェル７の背面５２が図８および図９のＩの向きに回転するのを、バックアップ部３７が端子側弾性部５３からの圧力に対抗して阻止する。
【００６８】
なお、バックアップ部３７を設けなくても、例えば図１２に示すように、接触面４５を付根が上面５４に達する切込みにより形成することにより、端子側弾性部５３が圧力を加える向きに弾性変形するバネ状のシェル側弾性部７１としてもよい。この場合、バネ状のシェル側弾性部７１は端子側弾性部５３からの圧力を吸収するように弾性変形してシェル７の背面５２が図１２のＩの向きに回転するのを阻止する。なお、シェル７がシェル側弾性部７１を有する構造の場合、接触部１３とシェル７が接触した状態ではシェル側弾性部７１が弾性変形するため、端子側弾性部５３は必ずしも弾性変形する必要がない。そのため、シェル７にシェル側弾性部７１を設ける場合は端子側弾性部５３に相当する部分が弾性変形しない構造でもよい。
【００６９】
次に、コネクタ１の基板８１への取付の手順および相手側コネクタ９５との接続の手順について、図１３を参照して説明する。
【００７０】
まず、コネクタ１を基板８１に取り付ける。 
具体的には、まず、基板８１のグランド接続されたグランド端子を有するスルーホール８３、８５にシェル７のシェル側グランド端子３９および下段グランド端子１１の挿入部６５を挿入して固定する。
【００７１】
次に、基板８１の信号回路等に接続された接点部８７に信号端子３Ａ、３Ｂの信号端子接点部１９Ａ、１９Ｂを半田等で接続する。
【００７２】
次に、基板８１およびコネクタ１を覆うカバーであるユニット筐体８９で基板８１およびコネクタ１を覆い、ユニット筐体８９のグランド端子９１にシェル７のシェル側グランド接続部４３を接続する。なお、グランド端子９１はコネクタ１が搭載された機器のグランドに接続される。これで、コネクタ１が基板８１に取り付けられる。
【００７３】
次に、コネクタ１と相手側コネクタ９５を接続する。 
具体的には、相手側コネクタ９５をユニット筐体８９の開口部９３およびハウジング５の開放面２５側からコネクタ１内に挿入し、相手側コネクタ９５のメスグランド９７を上段グランド端子９の上段端子相手側接続部５１と接続する。同様に、相手側コネクタ９５のメスグランド９７を下段グランド端子１１の接続用突出部６３と接続する。これにより、コネクタ１と相手側コネクタ９５がグランド接続され、グランド構成部品（メスグランド９７、上段グランド端子９、下段グランド端子１１、およびシェル７）が等電位化する。
【００７４】
この際のグランドラインは次の３つのラインがある。 
第１のラインはメスグランド９７、上段グランド端子９、シェル７、およびシェル７のシェル側グランド端子３９を介して基板８１のスルーホール８３に至るラインであり、図１３ではＧＬ１と記載されている。
【００７５】
第２のラインはメスグランド９７、下段グランド端子１１を介して基板８１のスルーホール８５に至るラインであり、図１３ではＧＬ２と記載されている。
【００７６】
第３のラインは、メスグランド９７、上段グランド端子９、シェル７、およびシェル７のシェル側グランド接続部４３を介してユニット筐体８９のグランド端子９１に至るラインであり、図１３ではＧＬ３と記載されている。
【００７７】
なお、相手側コネクタ９５の信号端子９９は、コネクタ１の信号端子３Ａ、３Ｂの信号端子相手側接続部１５Ａ、１５Ｂと接続される。
【００７８】
また、この構造においては、シェル７が主として信号端子３Ａ、３Ｂを外部からの電気的ノイズから遮蔽する作用を有するが、シェル７はＧＬ１とＧＬ３の確立にも寄与しており、グランド構成部品の等電位化という作用も有する。
【００７９】
一方、上段グランド端子９および下段グランド端子１１はＧＬ１〜ＧＬ３の確立に寄与しており、グランド構成部品の等電位化という作用を主に有するが、上段グランド端子９および下段グランド端子１１は信号端子３Ａ、３Ｂ（およびハウジング５）を介して互いに対向しているため、信号端子３Ａ、３Ｂを外部からの電気的ノイズから遮蔽する作用も有する。
【００８０】
よって、コネクタ１は、外部からの電気的ノイズからの遮蔽とグランド構成部品の等電位化という２つの作用を、シェルを２重にする場合と比べて同等の水準に維持しつつ、小型化が容易である。
【００８１】
以上がコネクタ１の基板８１への取付けの手順および相手側コネクタ９５との接続の手順の説明である。
【００８２】
このように、第１の実施形態によれば、コネクタ１は、導電性の第１の端子としての信号端子３Ａ、３Ｂと、信号端子３Ａ、３Ｂを保持する絶縁性のハウジング５と、ハウジング５を覆う導電性のシェル７と、信号端子３Ａ、３Ｂを介して互いに対向するようにハウジング５に保持される導電性の第２の端子としての上段グランド端子９と第３の端子としての下段グランド端子１１を有し、上段グランド端子９はシェル７に接触する接触部１３を有している。 
そのため、コネクタ１は従来よりも小型化が容易である。
【００８３】
次に、第２の実施形態について、図１４〜図２０を参照して説明する。
【００８４】
第２の実施形態は、第１の実施形態において、コネクタ１Ａを、相手側コネクタ９５と嵌合する向きが、コネクタ１Ａが基板８１に搭載される向きに平行なストレートコネクタとしたものである。
【００８５】
なお、第２の実施形態において、第１の実施形態と同様の機能を果たす要素については同一の番号を付し、主に第１の実施形態と異なる部分について説明する。
【００８６】
図１４〜図２０に示すように、第２の実施形態に係るコネクタ１Ａは、ストレートコネクタであること以外は第１の実施形態に係るコネクタ１と同様の構成を有する。
【００８７】
ただし、コネクタ１Ａはストレートコネクタであるため、コネクタ１とは以下の構造が異なる。
【００８８】
まず、信号端子３Ａ、３Ｂは、図１５に示すように、信号端子接点部１９Ａ、１９Ｂが信号端子相手側接続部１５Ａ、１５Ｂに直交しており、基板接続部１７Ａ、１７Ｂに平行になっている。
【００８９】
次に、ハウジング５は図１５に示すように外殻２３と内殻２７が、コネクタ１Ａと相手側コネクタ９５が嵌合する向き（図１５のＡの向き、以下同様）に直列に連結された構造となっており、内殻２７の直方体を構成する短辺の寸法がシェル７の厚さの分だけ小さい。
【００９０】
また、シェル７は図１５に示すように正面と背面が開放された形状を有しており、内殻２７をその背面を除いて覆うようになっている。
【００９１】
さらに、上段グランド端子９は図１５および図１８に示すように接触部１３がシェル７の背面ではなく上面と接触する構造となっている。ただし、この構造においても、非接触面４７は、接触面４５よりもシェル７がハウジング５に搭載される向き（図１８のＢの向き）における前方に設けられ、かつ距離Ｌだけ接触部１３が接触面４５と接触する向き（図１８のＦの向き）に突出している。換言すれば、接触面４５が非接触面４７よりもＦの向きと反対側（Ｅの向き）に突出している。
【００９２】
また、下段グランド端子１１は、図１５に示すように挿入部６５が下段側弾性部６１に対して側面側に９０度曲がった形状を有するが、コネクタ１Ａと相手側コネクタ９５が嵌合する向きに対しては平行である。
【００９３】
一方、シェル７は図１５に示すようにシェル側グランド端子３９がシェル７の背面に設けられている。また、上段グランド端子９との接触面４５は図１８に示すように上面に設けられている。
【００９４】
このように、第２の実施形態によれば、コネクタ１Ａは、導電性の第１の端子としての信号端子３Ａ、３Ｂと、信号端子３Ａ、３Ｂを保持する絶縁性のハウジング５と、ハウジング５を覆う導電性のシェル７と、信号端子３Ａ、３Ｂを介して互いに対向するようにハウジング５に保持される導電性の第２の端子としての上段グランド端子９と第３の端子としての下段グランド端子１１を有し、上段グランド端子９はシェル７に接触する接触部１３を有している。 
従って、第２の実施形態は第１の実施形態と同様の効果を奏する。
【産業上の利用可能性】
【００９５】
以上、添付図面を参照しながら本発明の好適な実施形態について説明したが、本発明は係る例に限定されない。当業者であれば、請求の範囲に記載された範疇内において、各種の変更例または修正例に想到し得ることは明らかであり、それらについても当然に本発明の技術的範囲に属するものと了解される。
【００９６】
例えば、第１の実施形態ではシェル７をユニット筐体８９のグランド端子９１に接続するためのシェル側グランド接続部４３をシェル７に設けているが、シェル７のグランド接続が、基板８１のみで確実に行える場合等は、シェル側グランド接続部４３はなくてもよい。
【符号の説明】
【００９７】
１      ：コネクタ
１Ａ    ：コネクタ
３Ａ    ：信号端子
３Ｂ    ：信号端子
５      ：ハウジング
７      ：シェル
９      ：上段グランド端子
１１    ：下段グランド端子
１３    ：接触部
１５Ａ  ：信号端子相手側接続部
１５Ｂ  ：信号端子相手側接続部
１７Ａ  ：基板接続部
１７Ｂ  ：基板接続部
１９Ａ  ：信号端子接点部
１９Ｂ  ：信号端子接点部
２１Ａ  ：信号端子突出部
２１Ｂ  ：信号端子突出部
２３    ：外殻
２５    ：開放面
２６    ：受容部
２７    ：内殻
２９    ：隙間
３１Ａ  ：信号端子挿入孔
３１Ｂ  ：信号端子挿入孔
３３    ：上段グランド端子挿入孔
３５    ：下段グランド端子挿入孔
３７    ：バックアップ部
３９    ：シェル側グランド端子
４１    ：内側接触部
４３    ：シェル側グランド接続部
４５    ：接触面
４７    ：非接触面
４９    ：傾斜面
５０    ：面
５１    ：上段端子相手側接続部
５２    ：背面
５３    ：端子側弾性部
５４    ：上面
５５    ：上段端子突出部
５６    ：接続部
６１    ：下段側弾性部
６３    ：接続用突出部
６５    ：挿入部
６７    ：下段端子突出部
７１    ：シェル側弾性部
８１    ：基板
８３    ：スルーホール
８５    ：スルーホール
８７    ：接点部
８９    ：ユニット筐体
９１    ：グランド端子
９３    ：開口部
９５    ：相手側コネクタ
９７    ：メスグランド
９９    ：信号端子
３０１  ：コネクタ
３１１  ：コンタクト
３２１  ：内部ハウジング
３３１  ：第１シェル
３４１  ：外部ハウジング
３５１  ：第２シェル
Ｌ      ：距離
【図１】
0006422815.tif 000002
【図２】
0006422815.tif 000003
【図３】
0006422815.tif 000004
【図４】
0006422815.tif 000005
【図５】
0006422815.tif 000006
【図６】
0006422815.tif 000007
【図７】
0006422815.tif 000008
【図８】
0006422815.tif 000009
【図９】
0006422815.tif 000010
【図１０】
0006422815.tif 000011
【図１１】
0006422815.tif 000012
【図１２】
0006422815.tif 000013
【図１３】
0006422815.tif 000014
【図１４】
0006422815.tif 000015
【図１５】
0006422815.tif 000016
【図１６】
0006422815.tif 000017
【図１７】
0006422815.tif 000018
【図１８】
0006422815.tif 000019
【図１９】
0006422815.tif 000020
【図２０】
0006422815.tif 000021
【図２１】
0006422815.tif 000022